(57)【特許請求の範囲】
【請求項１】
走行装置（１）の上に、刈取物（１５）を梱包室（１４）へ送り込む幅広の主・副コンベヤ（１２）・（１３）を対向状に設けてなる梱包室（１４）と、この梱包室（１４）内でロール状に形成した刈取物（１５）に紐を巻着する結束機構（１６）と、紐巻着後の刈取物（１５）を梱包室（１４）内から機体の側方に取り出す押出機構等からなる梱包装置（Ａ）を搭載し、該梱包装置（Ａ）の前方にハンマーモア式の刈取部（Ｂ）を備えた刈取梱包機において、前記走行装置（１）の前端部にエンジン室（Ｅ）からの回転力を梱包装置（Ａ）および、刈取部（Ｂ）へ分配するスプロケット軸（２１）に嵌挿して前記刈取部（Ｂ）を回動可能に設け、該刈取部（Ｂ）の後端を前記主コンベア（１２）の始端部と連通するとともに、側板（１８ａ）・（１８ａ）に円弧孔（２４）・（２４）を形成した刈取ケース（１８）を設け、該刈取ケース（１８）にハンマーナイフ（４）を回動自在に架設するナイフ取付座を溶着したドラム（３）を固設した回転軸（２）を設け、該回転軸（２）の両端部を嵌合するチエン伝動機構（２７）を内装したケース部と前記円弧孔（２４）に沿って移動するアーム部（２３）を一体構成にした伝動ケース（１９）を設け、該伝動ケース（１９）を前記側板（１８ａ）・（１８ａ）の外方に固定具（２５）を介して上下回動可能に設け、前記回転軸（２）の両端部を前記チエン伝動機構（２７）の一方に嵌合連結するとともに、前記チエン伝動機構（２７）の他方に嵌合した支持軸（５）・（５）の外端部にディスクカッター（６）・（６）を設け、該ディスクカッター（６）・（６）を軸着した前記支持軸（５）・（５）と、前記ハンマーナイフ（４）を装架した前記回転軸（２）を前記伝動ケース（１９）・（１９）等を介して相対高さを変更可能とした刈取部を備えたことを特徴とする刈取梱包機。
【発明の詳細な説明】
【０００１】
【産業上の利用分野】
本発明は、走行装置上に梱包装置を搭載し、該梱包装置の前方に刈取部を設けて、刈取部で刈り取ったものを梱包装置に送り込んで梱包するところの刈取梱包機に関するものである。
【０００２】
【従来の技術】
従来、梱包装置の前方にピックアップ部を設けて、地面に散在する牧草などを拾い上げ梱包装置に送り込んで梱包するものはよく知られているのである。
【０００３】
【発明が解決しようとする課題】
この発明は、例えば、芋を掘り取り収穫するとき、その掘り取り前の作業を行うところの芋の蔓を刈り取ると同時に梱包する刈取梱包機を提供しようとするもので、その芋の蔓は刈取幅内から未刈りがわにも伸びていて蔓の刈取りと送り込み作用に難点がある。
本発明は、このような蔓状のものの刈取りを容易にするとともに、嵩張る刈取物を直ちに梱包して運搬をしやすくし、堆肥づくりなどの処理が便利に行えるようにするために創作されたものである。
【０００４】
【課題を解決するための手段】
本発明は、請求項１に記載したように、走行装置（１）の上に、刈取物（１５）を梱包室（１４）へ送り込む幅広の主・副コンベヤ（１２）・（１３）を対向状に設けてなる梱包室（１４）と、この梱包室（１４）内でロール状に形成した刈取物（１５）に紐を巻着する結束機構（１６）と、紐巻着後の刈取物（１５）を梱包室（１４）内から機体の側方に取り出す押出機構等からなる梱包装置（Ａ）を搭載し、該梱包装置（Ａ）の前方にハンマーモア式の刈取部（Ｂ）を備えた刈取梱包機において、前記走行装置（１）の前端部にエンジン室（Ｅ）からの回転力を梱包装置（Ａ）および、刈取部（Ｂ）へ分配するスプロケット軸（２１）に嵌挿して前記刈取部（Ｂ）を回動可能に設け、該刈取部（Ｂ）の後端を前記主コンベア（１２）の始端部と連通するとともに、側板（１８ａ）・（１８ａ）に円弧孔（２４）・（２４）を形成した刈取ケース（１８）を設け、該刈取ケース（１８）にハンマーナイフ（４）を回動自在に架設するナイフ取付座を溶着したドラム（３）を固設した回転軸（２）を設け、該回転軸（２）の両端部を嵌合するチエン伝動機構（２７）を内装したケース部と前記円弧孔（２４）に沿って移動するアーム部（２３）を一体構成にした伝動ケース（１９）を設け、該伝動ケース（１９）を前記側板（１８ａ）・（１８ａ）の外方に固定具（２５）を介して上下回動可能に設け、前記回転軸（２）の両端部を前記チエン伝動機構（２７）の一方に嵌合連結するとともに、前記チエン伝動機構（２７）の他方に嵌合した支持軸（５）・（５）の外端部にディスクカッター（６）・（６）を設け、該ディスクカッター（６）・（６）を軸着した前記支持軸（５）・（５）と、前記ハンマーナイフ（４）を装架した前記回転軸（２）を前記伝動ケース（１９）・（１９）等を介して相対高さを変更可能とした刈取部を備えたものである。
【０００５】
【作用】
機体を芋の畝に跨がらせて前進させると、芋の蔓は回転するハンマーナイフにより引っ掛けられ切断されて、梱包装置に送り込まれ梱包されるのであるが、この場合に、刈取幅内から未刈りがわの隣の畝に向けて伸びる蔓はハンマーナイフによって引き上げられ、その引き上げられる蔓がディスクカッターにより切断され、或は引き上げられないままディスクカッターで切断されるようになって刈り取られる幅内から未刈りがわに伸びている蔓が切断されるので、刈り取られる刈取幅内の蔓は順序よく梱包装置に送り込まれ梱包されていくのである。
【０００６】
【実施例】
以下、この発明について実施例図を参照し説明すると、（１）は比較的幅狭のゴムクローラ（７）を懸回してなる走行装置で、この走行装置（１）上に梱包装置（Ａ）が搭載され、梱包装置（Ａ）の後がわにはエンジンを内蔵するエンジン部（Ｅ）が設置され、エンジン部（Ｅ）の後部上方に運転操作部（Ｃ）が設けられていて、（８）は作業クラッチレバー、（９）は走行クラッチレバー、（１０）はサイドクラッチレバー、（１１）は刈取部（Ｂ）の支持高さを調節する支持レバーである。
【０００７】
前記梱包装置（Ａ）は湾曲せる幅広の主副コンベヤ（１２）・（１３）を対向状に設けてなる梱包室（１４）と、この梱包室（１４）内でロール状に形成された刈取物（１５）に紐を巻着する結束機構（１６）と紐巻着後の刈取物（１５）を梱包室（１４）内から側方ドア（１７）の開放によって機体の側方に取り出す押出機構等からなるもので、結束機構（１６）や押出機構は、従来の梱包装置の前方にピックアップ部を設けて地面に散在する牧草などを拾い上げ梱包装置に送り込んで梱包するピックアップ式のものと同様であるので、ここではその詳細な説明については省略することにする。
【０００８】
走行装置の前端部にエンジン室（Ｅ）からの回転力を刈取部（Ｂ）や梱包装置（Ａ）等に分配するスプロケット軸（２１）を横設し、そのスプロケット軸（２１）に刈取部（Ｂ）を嵌挿して回動可能に設けている。また、前記スポロケット軸（２１）の両端部近傍に回転軸（２）を駆動するスプロケットと、主コンベヤ（１２）を駆動するスプロケットを軸着している。さらに、前記刈取部(Ｂ)を構成しているハンマーモアを覆う刈取ケース（１８）の前側部に、刈取ケース（１８）の両側板（１８ａ）・（１８ａ）間に多数のハンマーナイフ（４）を連結ピンで回動自在に装着するナイフ取付爪を溶着した円筒状のドラム（３）を回転軸（２）に軸着して横架している。この回転軸（２）の両端部は前記側板（１８ａ）・（１８ａ）より突出して軸支部材を介して回転自在に支承している。
【０００９】
そして、前記刈取ケース（１８）に固設した軸支部材から側方に突出する前記回転軸（２）の両軸端部を後述する伝動ケース（１９）・（１９）に内装したチエン伝動機構（２７）の上部側に嵌合連結して各伝動ケース（１９）・（１９）が前記回転軸（２）を支点にして側板（１８ａ）・（１８ａ）の外側に固定具（２５）を介して回動自在に設けている。さらに、この伝動ケース（１９）・（１９）より外側方向に突出する状態で前記チエン伝動機構（２７）の下部側に嵌合連結した支持軸（５）・（５）を伝動ケース（１９）・（１９）より外側方向に突出するように設けて前記回転軸（２）と平行に回転自在に設けている。
そして、前記支持軸（５）・（５）の外端部に鋸刃状のディスクカッター（６）・（６）を軸着している。なお、（２０）・（２０）はディスクカッター（６）・（６）のカバーで、扇形状をなし伝動ケース（１９）・（１９）に一体的に取着されている。
【００１０】
さらに、前記刈取ケース（１８）の後側部にはスプロケット軸（２１）に前記主コンベヤ（１２）の始端部を嵌挿している。また、刈取ケース（１８）はスプロケット軸（２１）を軸にして上下回動自在になって、前記運転操作部（Ｃ）に設ける支持レバー（１１）の回動操作により連動杆（２２）などを介して刈取部（Ｂ）全体が上下動しドラム（３）の対地高さが変更調節可能になっている。ハンマーナイフ（４）で刈り取られた刈取物がハンマーナイフ（４）の慣性力で梱包装置（Ａ）の主コンベヤ（１２）上へ乗るようにしている。
【００１１】
また、回転軸（２）の両端部を嵌合連結するチエン伝動機構（２７）を内装するケース部と、前記回転軸（２）の嵌合部を軸にして前記円弧孔（２４）に沿って移動するアーム部（２３）を一体構成にした伝動ケース（１９）を設けている。
この伝動ケース（１９）を固定具（２５）によって側板（１８ａ）・（１８ａ）に設けた円弧孔（２４）に沿って移動して伝動ケース（１９）の端部が上下回動するようにしている。
このようにドラム（３）を固設した回転軸（２）の軸心と、支持軸（５）の軸心を離間して設けることにより、ハンマーナイフ（４）を架設したドラム（３）に対してディスクカッター（６）・（６）を伝動ケース（１９）・（１９）や連結杆（２２）等を介して相対高さを変更可能にしている。
【００１２】
そして、前記の主コンベヤ（１２）始端部のスプロケット軸（２１）から刈取ケース（１８ａ）・（１８ａ）の内方に前記スプロケット軸（２１）の回転力を回転軸（２）に伝えるチエン（２６）を備え、この回転軸（２）から伝動ケース（１９）・（１９）内のチエン伝動機構（２７）・（２７）によって支持軸（５）・（５）を回転させて、ドラム（３）およびハンマーナイフ（４）とディスクカッター（６）・（６）を矢印（イ）方向の同方向に回転するようにしてある。
【００１３】
そこで、「図４」に示すように、機体を芋の畝に跨がらせて支持レバー（１１）を回動操作し「図２」のようにハンマーナイフ（４）の先端が畝の上面（２８）近くにあるように調節するとともに、固定具（２５）・（２５）によりディスクカッター（６）・（６）の高さ位置を決めて、機体を前進させて運転すると、（イ）方向に回転する多数のハンマーナイフ（４）により引っ掛けられ切断されて、主コンベヤ（１２）の始端部に受継がれ梱包室（１４）内に送り込まれて所定の大きさのものに形成されると結束機構（１６）によって紐が巻着され梱包されたのち、側方ドア（１７）の開放によって機体の側方に取り出されるのであるが、この場合、刈取部（Ｂ）では刈取幅内から未刈りがわの隣の畝に向けて伸びる蔓、例えば、これを（ロ）とすると蔓（ロ）はハンマーナイフ（４）によって引き上げられて仮想線（ハ）の状態になってディスクカッター（６）により切断され、或は引き上げられないままディスクカッター（６）で切断されるようになって刈り取られる幅内から未刈りがわに伸びている蔓が切断されるので、刈り取られる刈取幅内の蔓は順序よく梱包装置（Ａ）に送り込まれるようになるのである。
【００１４】
そして、この刈取りの場合に、ドラム（３）の対地高さを変更調節可能にしてハンマーナイフ（４）の先端位置を調節し、ディスクカッター（６）のドラム（３）に対する相対高さ位置を変更調節可能にすることにより、畝の大きさ（高さ）に順応できて蔓の刈取り性能がよくなる。
【００１５】
尚、「図４」において、（２９）は土中の成長した芋であり、（３０）は２条分の畝ずつ被覆した極薄手のポリシートを示してある。また、この実施例のものは、２条の畝を跨いで２条分の蔓を一度に刈り取るものであるが機体が跨ぐ畝の条数および刈り取る畝数は適宜設定して小型から大型の刈取梱包機を具現すればよく、刈取作業において機体が畝の終端に至って折り返して刈り取る刈取要領によるときはディスクカッター（６）が左右両側に設けられていなければならないが、芋畑を回りながら外がわから内がわに向けて往復刈りする刈取要領によるときは何れか片方のディスクカッター（６）はなくても差し支えないのである。
【００１６】
【発明の効果】
本発明による刈取梱包機は、走行装置（１）の上に、刈取物（１５）を梱包室（１４）へ送り込む幅広の主・副コンベヤ（１２）・（１３）を対向状に設けてなる梱包室（１４）と、この梱包室（１４）内でロール状に形成した刈取物（１５）に紐を巻着する結束機構（１６）と、紐巻着後の刈取物（１５）を梱包室（１４）内から機体の側方に取り出す押出機構等からなる梱包装置（Ａ）を搭載し、該梱包装置（Ａ）の前方にハンマーモア式の刈取部（Ｂ）を備えた刈取梱包機において、前記走行装置（１）の前端部にエンジン室（Ｅ）からの回転力を梱包装置（Ａ）および、刈取部（Ｂ）へ分配するスプロケット軸（２１）に嵌挿して前記刈取部（Ｂ）を回動可能に設け、該刈取部（Ｂ）の後端を前記主コンベア（１２）の始端部と連通するとともに、側板（１８ａ）・（１８ａ）に円弧孔（２４）・（２４）を形成した刈取ケース（１８）を設け、該刈取ケース（１８）にハンマーナイフ（４）を回動自在に架設するナイフ取付座を溶着したドラム（３）を固設した回転軸（２）を設け、該回転軸（２）の両端部を嵌合するチエン伝動機構（２７）を内装したケース部と前記円弧孔（２４）に沿って移動するアーム部（２３）を一体構成にした伝動ケース（１９）を設け、該伝動ケース（１９）を前記側板（１８ａ）・（１８ａ）の外方に固定具（２５）を介して上下回動可能に設け、前記回転軸（２）の両端部を前記チエン伝動機構（２７）の一方に嵌合連結するとともに、前記チエン伝動機構（２７）の他方に嵌合した支持軸（５）・（５）の外端部にディスクカッター（６）・（６）を設け、該ディスクカッター（６）・（６）を軸着した前記支持軸（５）・（５）と、前記ハンマーナイフ（４）を装架した前記回転軸（２）を前記伝動ケース（１９）・（１９）等を介して相対高さを変更可能とした刈取部を備えたことにより、刈取幅内から未刈りがわの隣の畝に向けて伸びる蔓はハンマーナイフ（４）によって引き上げられ、その引き上げられた蔓をディスクカッター（６）により切断される、或は、引き上げられないまま刈取幅内から未刈りがわに伸びている蔓をディスクカッター（６）・（６）で切断されるので、刈り取られる刈取幅内の蔓は順序よく梱包装置（Ａ）に送り込まれて梱包され、蔓の刈取りが容易になるとともに、嵩張る刈取物を直ちに梱包するから運搬がしやすく堆肥づくりなどの処理が便利に行える効果がある。
また、刈取ケース側部に左右独立したディスクカッターの上下調節する機構を構成することで畝の上面とディスクカッターの切断位置を容易に観察でき作業性が向上し、ハンマーモアあるいは、ディスクカッターによる芋の傷付きが防止できる。さらに、ディスクカッターへエンジンからの動力を伝達する機構を内装した伝動ケースを刈取ケースの側部に設けることにより刈取ケースの剛性アップとなる。
【図面の簡単な説明】
【図１】        刈取梱包機全体の側面図である。
【図２】        刈取部の拡大側面図である。
【図３】        同刈取部の平面図である。
【図４】        刈取作業の説明図である。
【符号の説明】
Ａ      梱包装置
Ｂ      刈取部
Ｅ        エンジン室
１      走行装置
２      回転軸
３      ドラム
４      ハンマーナイフ
５      支持軸
６      ディスクカッター
１２      主コンベヤ
１３      副コンベヤ
１４      梱包室
１５      刈取物
１６      結束機構
１８      刈取ケース
１８ａ    側板
１９      伝動ケース
２１      スプロケット軸
２３      アーム部
２４      円弧状
２５      固定具
【図１】
0003644988.tif 000002
【図２】
0003644988.tif 000003
【図３】
0003644988.tif 000004
【図４】
0003644988.tif 000005